(57)【要約】【課題】侵入者がいる、急病人がいる等の家の異常を近隣の住人、通行者、救急隊員等遠く離れた戸外の人間に知らせる事が出来る防犯機能を備えた警告灯付き防犯玄関子機を提供する。【解決手段】建物の中に空き巣の侵入者が入った場合等異常がある場合、回転灯又は、キセノン灯、ＬＥＤ灯等警告灯で異常を遠く離れた戸外にいる人に知ら事を特徴とする警告灯付き防犯玄関子機。【選択図】図１
2010108461.tif 000002
【特許請求の範囲】
【請求項１】
来訪者が居住者を呼び出す為の呼び出しボタン、居住者と通話を行なう為の通話部マイク、スピーカーと、屋内のインターホン又は、その他センサーからの電気信号を受信し、玄関子機から離れた戸外の人間が玄関子機本体の正面、側面から警告灯を確認出来る回転灯又は、キセノン灯、ＬＥＤ灯等の警告灯を設ける事を特徴とする警告灯付き防犯玄関子機。
【請求項２】
該本体部に、カメラを設ける事を特徴とする請求項１記載の警告灯付き防犯玄関子機。
【請求項３】
該本体部に、暗闇で来客者等、玄関子機周辺を照らすＬＥＤ灯等ライトを設ける事を特徴とする請求項１〜２記載の警告灯付き防犯玄関子機。
【請求項４】
該本体部を使用し撮影した、外部の映像を屋内のインターホン本体又はインターホン本体からサーバに送信、蓄積することで玄関先の映像を管理する事が出来るとともに、複数設置された該本体部が撮影した映像を連続して蓄積又、該本体部警告灯の外観による防犯機能により連続した地域防犯機能を構築する請求項１〜３記載の警告灯付き防犯玄関子機を使用した防犯ネットワークシステム。
【発明の詳細な説明】
【技術分野】
【０００１】  本発明は、警告灯付き玄関子機に係り、侵入者がいる、急病人がいる等の屋内の異常を近隣の住人、通行者、救急隊員等玄関から遠く離れた戸外の人に知らせる事が出来る防犯機能を備えた警告灯付き防犯玄関子機に関する。
【背景技術】
【０００２】  従来の玄関子機には、夜間子機カメラで来訪者を映し出す為のＬＥＤライトを搭載した玄関子機があった。
【発明の開示】
【発明が解決しようとする課題】
【０００３】  しかしながら、侵入者がいる、急病人がいる等の家の異常を近隣の住人、通行者、救急隊員等玄関子機から遠く離れた戸外の人に知らせる事が出来る様正面からだけでなく側面からも異常を確認出来る警告灯を持つ玄関子機は無かった。【０００４】  本発明は、このような従来の玄関子機が有していた問題を解決しようとするものであり、警告灯を利用し玄関子機から遠く離れた戸外の人に家の中の窓からの侵入者がいる、急病人がいる等の異常を知らせる事を目的とし警告灯をつける事により玄関子機による防犯機能を高める物である。
【課題を解決するための手段】
【０００５】  第一の本発明は上記目的を達成する為に来訪者が居住者を呼び出す為の呼び出しボタン、居住者と通話を行なう為の通話部マイク、スピーカーと、屋内のインターホン又は、その他センサーからの電気信号を受信し、玄関子機から遠く離れた戸外の人間が玄関子機本体の正面又側面から警告灯を確認出来る回転灯又はキセノン灯、ＬＥＤ灯等警告灯を設けたものである。【０００６】  第二の本発明は、来客者の確認と空き巣等犯罪者が行なうインターホンでの在宅確認を防止、又地域の防犯監視になるカメラを設けたものである。【０００７】  第三の本発明は、夜間等不審者が玄関付近に近づかない様、又夜間一般の人が通行するとき歩行の補助又は防犯になる様玄関子機周囲に人がいる事を感知する赤外線センサー等により周囲を照らすＬＥＤ灯等ライトを設けた物である。【０００８】  第四の本発明は、本体部を使用し撮影した、外部の映像を屋内のインターホン本体からサーバーに送信、蓄積し玄関先の映像を管理する事が出来るとともに複数設置された該本体部が撮影した映像を連続して蓄積する事又、警告灯による防犯機能により、連続した地域防犯機能を構築する防犯ネットワークシステムである。
【発明の効果】
【０００９】  上述した様に、本発明の警告灯付き玄関子機は、玄関子機から離れた屋外の人に屋内のセンサーの異常を知らせる事が出来、又カメラ、ライト等と連動する事により防犯機能の高い玄関子機を提供する事が出来る。【００１０】  更に複数の子機を地域に設置し撮影した映像をネットワークケーブルを介しサーバに保存する事により簡易に地域防犯ネットワークシステムを構築する事が出来る。
【発明を実施するための最良の形態】
【００１１】  以下、本発明を実施する為の最良の形態について説明する。【００１２】  図１は、本発明の実施例９の斜視図である。本発明の警告灯付き玄関子機本体１は、通信部マイク９とスピーカー８と呼び出しボタン７とインターホン本体からの信号を受信し作動する回転灯６、カメラ３からなる。【００１３】  カメラ３はカメラカバー２に保護されており、モーターで動く回転式カメラ台４により左右に広く撮影する事が出来、周囲が暗くなり撮影画像が暗くなった折に照明の役割を果たすＬＥＤライト５を配置する。【００１４】  インターホン本体からの信号によりＬＥＤ５、又は回転灯６を作動させ玄関子機前を人が通過する時に注意を喚起し明かりを提供する。【００１５】  図２は、本発明の実施例１１の防犯ネットワークシステムである。
本発明の戸内の異常を戸外に知らせる警告灯付き玄関子機を利用する事で、複数のカメラの映像を撮影、保存していた防犯ネットワークシステムに加え、広範囲の住宅の中で異常のある家屋が何処に在るのかを直感的に人に知らせる事が出来、区画に複数の警告灯付き玄関子機が存在する事により地域全体の防犯機能を高め、又家屋には必ず使用されている玄関子機に警告灯付のインターホンを利用する事で個人々の地域住民の参加によって簡易に構築出来る地域防犯システムである。【００１６】  例えば区画２０において、玄関子機１から通行者１８が通行した事をインターホン本体１６に保存又はネットワークケーブル１７を介してサーバ１９に蓄積する。通行者１８は位置を変える場合複数の玄関子機を通過する事になり、通行者の１８の行動を把握出来る。
又、玄関子機に警告灯を設置しているため複数の警告灯が区画に存在する事になり地域全体の防犯機能を高める防犯ネットワークシステムである。【００１７】  以上、本発明の実施の形態を、説明したが、本発明の範囲はこれに限定される物ではない。例えば、カメラ、警告灯、カバー等の形状、配置位置、は、状況により適宜選択されるものである。【００１８】  図５は回転灯ではなく警告灯に複数のＬＥＤを用いた玄関子機である。
カバーの形状はＬＥＤ灯のみを覆っているが玄関子機全体を覆い子機全体が光る形状にしても良い。また、警告灯は積層警告灯、一灯多色灯等にしても良く、その他、適当な任意の警告灯が利用出来、形状、大きさも任意に選定する事が出来る。又用途も夜間の照明等、警告の為を目的とする物に限られない。
【図面の簡単な説明】
【００１９】
【図１】本発明の実施例３回転灯における斜視図である。
【図２】本発明の実施例３回転灯における正面図である。
【図３】本発明の実施例３回転灯における側面図である。
【図４】本発明の実施例４における防犯ネットワーク具体例である。
【図５】本発明の実施例３ＬＥＤ警告灯における斜視図である。
【００２０】１  警告灯付き玄関子機本体
２  カメラカバー
３  カメラ
４  回転式カメラ台
５  ＬＥＤライト
６  回転灯
７  呼び出しボタン
８  スピーカー
９  通話マイク
１４  取付台
１５  防犯ネットワークシステム
１６  インターホン本体
１７  ネットワークケーブル
１８  通行者
１９  サーバ
２０  区画
２１  道路
２２  ＬＥＤカバー
２３  ＬＥＤ
【図１】
2010108461.tif 000003
【図２】
2010108461.tif 000004
【図３】
2010108461.tif 000005
【図４】
2010108461.tif 000006
【図５】
2010108461.tif 000007
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
来訪者が居住者を呼び出す為の呼び出しボタン、居住者と通話を行なう為の通話部マイク、スピーカーと、屋内のインターホン又は、その他センサーからの電気信号を受信し、玄関子機から離れた戸外の人間が玄関子機本体の正面、側面から警告灯を確認出来る回転灯又は、キセノン灯、LED灯等の警告灯を設ける事を特徴とする警告灯付き防犯玄関子機。
【請求項２】
該本体部に、カメラを設ける事を特徴とする請求項１記載の警告灯付き防犯玄関子機。
【請求項３】
該本体部に、暗闇で来客者等、玄関子機周辺を照らすLED灯等ライトを設ける事を特徴とする請求項１〜２記載の警告灯付き防犯玄関子機。
【手続補正２】
【補正対象書類名】明細書
【補正対象項目名】全文
【補正方法】変更
【補正の内容】
【発明の詳細な説明】
【技術分野】
【０００１】
本発明は、警告灯付き玄関子機に係り、侵入者がいる、急病人がいる等の屋内の異常を近隣の住人、通行者、救急隊員等玄関から遠く離れた戸外の人に知らせる事が出来る防犯機能を備えた警告灯付き防犯玄関子機に関する。
【背景技術】
【０００２】
従来の玄関子機には、夜間子機カメラで来訪者を映し出す為のLEDライトを搭載した玄関子機があった。
【発明の開示】
【発明が解決しようとする課題】
【０００３】
しかしながら、侵入者がいる、急病人がいる等の家の異常を近隣の住人、通行者、救急隊員等玄関子機から遠く離れた戸外の人に知らせる事が出来る様正面からだけでなく側面からも異常を確認出来る警告灯を持つ玄関子機は無かった。
【０００４】
本発明は、このような従来の玄関子機が有していた問題を解決しようとするものであり、警告灯を利用し玄関子機から遠く離れた戸外の人に家の中の窓からの侵入者がいる、急病人がいる等の異常を知らせる事を目的とし警告灯をつける事により玄関子機による防犯機能を高める物である。
【課題を解決するための手段】
【０００５】
第一の本発明は上記目的を達成する為に来訪者が居住者を呼び出す為の呼び出しボタン、居住者と通話を行なう為の通話部マイク、スピーカーと、屋内のインターホン又は、その他センサーからの電気信号を受信し、玄関子機から遠く離れた戸外の人間が玄関子機本体の正面又側面から警告灯を確認出来る回転灯又はキセノン灯、LED灯等警告灯を設けたものである。
【０００６】
第二の本発明は、来客者の確認と空き巣等犯罪者が行なうインターホンでの在宅確認を防止、又地域の防犯監視になるカメラを設けたものである。
【０００７】
第三の本発明は、夜間等不審者が玄関付近に近づかない様、又夜間一般の人が通行するとき歩行の補助又は防犯になる様玄関子機周囲に人がいる事を感知する赤外線センサー等により周囲を照らすLED灯等ライトを設けた物である。
【発明の効果】
【０００８】
上述した様に、本発明の警告灯付き玄関子機は、玄関子機から離れた屋外の人に屋内のセンサーの異常を知らせる事が出来、又カメラ、ライト等と連動する事により防犯機能の高い玄関子機を提供する事が出来る。
【０００９】
更に複数の子機を地域に設置し撮影した映像をネットワークケーブルを介しサーバに保存する事により簡易に地域防犯ネットワークシステムを構築する事が出来る。
【発明を実施するための最良の形態】
【００１０】
以下、本発明を実施する為の最良の形態について説明する。
【００１１】
図１は、本発明の実施例９の斜視図である。本発明の警告灯付き玄関子機本体１は、通信部マイク９とスピーカー８と呼び出しボタン７とインターホン本体からの信号を受信し作動する回転灯６、カメラ３からなる。
【００１２】
カメラ３はカメラカバー２に保護されており、モーターで動く回転式カメラ台４により左右に広く撮影する事が出来、周囲が暗くなり撮影画像が暗くなった折に照明の役割を果たすLEDライト５を配置する。
【００１３】
インターホン本体からの信号によりLED５、又は回転灯６を作動させ玄関子機前を人が通過する時に注意を喚起し明かりを提供する。
【００１４】
以上、本発明の実施の形態を、説明したが、本発明の範囲はこれに限定される物ではない。例えば、カメラ、警告灯、カバー等の形状、配置位置、は、状況により適宜選択されるものである。
【００１５】
図４は回転灯ではなく警告灯に複数のLEDを用いた玄関子機である。カバーの形状はLED灯のみを覆っているが玄関子機全体を覆い子機全体が光る形状にしても良い。また、警告灯は積層警告灯、一灯多色灯等にしても良く、その他、適当な任意の警告灯が利用出来、形状、大きさも任意に選定する事が出来る。又用途も夜間の照明等、警告の為を目的とする物に限られない。
【図面の簡単な説明】
【００１６】
【図１】本発明の実施例３回転灯における斜視図である。
【図２】本発明の実施例３回転灯における正面図である。
【図３】本発明の実施例３回転灯における側面図である。
【図４】本発明の実施例３LED警告灯における斜視図である。
【００１７】
１    警告灯付き玄関子機本体
２    カメラカバー
３    カメラ
４    回転式カメラ台
５    LEDライト
６    回転灯
７    呼び出しボタン
８    スピーカー
９    通話マイク
１４  取付台
２２  LEDカバー
２３  LED
【手続補正３】
【補正対象書類名】図面
【補正対象項目名】図４
【補正方法】変更
【補正の内容】
【図４】
2010108461.tif 000008
【手続補正４】
【補正対象書類名】図面
【補正対象項目名】図５
【補正方法】削除
【補正の内容】
【手続補正書】
【提出日】平成22年2月12日(2010.2.12)
【手続補正１】
【補正対象書類名】特許請求の範囲
【補正対象項目名】請求項１
【補正方法】変更
【補正の内容】
【請求項１】
来訪者が居住者を呼び出す為の呼び出しボタン、居住者と通話を行なう為の通話部マイク、スピーカーと、屋内のインターホン又は、その他センサーからの電気信号を受信し、玄関子機正面方向に照射された警光成分以外からも玄関子機警告灯の警光を確認出来る様、照射される警光が玄関子機正面方向及び側面方向の成分を含むように発光体を備えた、回転灯又はキセノン灯、LED等の警告灯を設ける事を特徴とする警告灯付き防犯玄関子機。
【手続補正２】
【補正対象書類名】明細書
【補正対象項目名】全文
【補正方法】変更
【補正の内容】
【発明の詳細な説明】
【技術分野】
【０００１】
本発明は、警告灯付き玄関子機に係り、侵入者がいる、急病人がいる等の屋内の異常を近隣の住人、通行者、救急隊員等玄関から遠く離れた戸外の人に知らせる事が出来る様に玄関子機正面方向に照射された警光成分以外からも玄関子機警告灯の警光を確認出来る様、照射される警光が玄関子機正面方向及び側面方向の成分を含むように発光体を備えた、防犯機能を備えた警告灯付き防犯玄関子機に関する。
【背景技術】
【０００２】
従来の玄関子機には、夜間子機カメラで来訪者を映し出す為のLEDライトを搭載した玄関子機があった。
【発明の開示】
【発明が解決しようとする課題】
【０００３】
しかしながら、侵入者がいる、急病人がいる等の家の異常を近隣の住人、通行者、救急隊員等家から遠く離れた戸外の人に知らせる事が出来る様に玄関子機自体に、玄関子機正面方向に照射された警光成分以外からも警光を確認出来る様、玄関子機警告灯から照射される警光が玄関子機正面方向及び側面方向の成分を含むように発光体を備え、異常を確認出来る警告灯を持つ玄関子機は無かった。
【０００４】
本発明は、このような従来の玄関子機が有していた問題を解決しようとするものであり、警告灯を利用し玄関子機から遠く離れた戸外の人に家の中の窓からの侵入者がいる、急病人がいる等の異常を知らせる事を目的とし警告灯をつける事により玄関子機による防犯機能を高める物である。
【課題を解決するための手段】
【０００５】
第一の本発明は上記目的を達成する為に来訪者が居住者を呼び出す為の呼び出しボタン、居住者と通話を行なう為の通話部マイク、スピーカーと、屋内のインターホン又は、その他センサーからの電気信号を受信し、玄関子機から遠く離れた戸外の人間が玄関子機本体の正面又側面から警告灯を確認出来る回転灯又はキセノン灯、LED灯等警告灯を設けたものである。
【０００６】
第二の本発明は、来客者の確認と空き巣等犯罪者が行なうインターホンでの在宅確認を防止、又地域の防犯監視になるカメラを設けたものである。
【０００７】
第三の本発明は、夜間等不審者が玄関付近に近づかない様、又夜間一般の人が通行するとき歩行の補助又は防犯になる様玄関子機周囲に人がいる事を感知する赤外線センサー等により周囲を照らすLED灯等ライトを設けた物である。
【発明の効果】
【０００８】
上述した様に、本発明の警告灯付き玄関子機は、玄関子機正面方向に照射された警光成分以外からも玄関子機警告灯の警光を確認出来る様、照射される警光が玄関子機正面方向及び側面方向の成分を含むように発光体を備えた、玄関子機から離れた屋外の人に屋内のセンサーの異常を知らせる事が出来、又カメラ、ライト等と連動する事により防犯機能の高い玄関子機を提供する事が出来る。
【発明を実施するための最良の形態】
【０００９】
以下、本発明を実施する為の最良の形態について説明する。
【００１０】
図１は、本発明の実施例７の斜視図である。本発明の警告灯付き玄関子機本体１は、通信部マイク９とスピーカー８と呼び出しボタン７とインターホン本体からの信号を受信し作動する回転灯６、カメラ３からなる。
【００１１】
カメラ３はカメラカバー２に保護されており、モーターで動く回転式カメラ台４により左右に広く撮影する事が出来、周囲が暗くなり撮影画像が暗くなった折に照明の役割を果たすLEDライト５を配置する。
【００１２】
インターホン本体からの信号によりLED５、又は回転灯６を作動させ玄関子機前を人が通過する時に注意を喚起し明かりを提供する。
【００１３】
以上、本発明の実施の形態を、説明したが、本発明の範囲はこれに限定される物ではない。例えば、カメラ、警告灯、カバー等の形状、配置位置、は、状況により適宜選択されるものである。
【００１４】
図４は回転灯ではなく警告灯に複数のLEDを用いた玄関子機である。玄関子機正面方向に照射された警光成分以外からも玄関子機警告灯の警光を確認出来る様、照射される警光が玄関子機正面方向及び側面方向の成分を含むように発光体を備えている。カバーの形状はLED灯のみを覆っているが玄関子機全体を覆い子機全体が光る形状にしても良い。また、警告灯は積層警告灯、一灯多色灯等にしても良く、その他、適当な任意の警告灯が利用出来、形状、大きさも任意に選定する事が出来る。又用途も夜間の照明等、警告の為を目的とする物に限られない。
【図面の簡単な説明】
【００１５】
【図１】本発明の実施例３回転灯における斜視図である。
【図２】本発明の実施例３回転灯における正面図である。
【図３】本発明の実施例３回転灯における側面図である。
【図４】本発明の実施例３LED警告灯における斜視図である。
【００１６】
１    警告灯付き玄関子機本体
２    カメラカバー
３    カメラ
４    回転式カメラ台
５    LEDライト
６    回転灯
７    呼び出しボタン
８    スピーカー
９    通話マイク
１４  取付台
２２  LEDカバー
２３  LED